(57)【要約】【課題】持ち手の設置形態を簡素化して使用者が持ち運びの際に広範囲を把持可能な体育用マットを提供すること。【解決手段】矩形状マット本体１１０とこの矩形状マット本体１１０を全面被覆するカバー１２０とこのカバー１２０の側面に設けた持ち手１３０とで構成され、持ち手１３０が、カバー１２０の長手方向側縁に沿ってベルト状に設けられ、端部とその間の箇所でカバー１２０に固定されている体育用マット１００。【選択図】図１
2020005864.tif 000002
【特許請求の範囲】
【請求項１】
矩形状マット本体と該矩形状マット本体を全面被覆するカバーと該カバーの側面に設けた持ち手とで構成される体育用マットにおいて、
前記持ち手が、前記カバーの長手方向側縁に沿ってベルト状に設けられ、端部とその間の箇所で前記カバーに固定されていることを特徴とする体育用マット。
【請求項２】
前記持ち手が、前記カバーに互いに等間隔を空けて固定されていることを特徴とする請求項１に記載の体育用マット。
【請求項３】
前記持ち手が、前記カバーに前記端部を除く偶数箇所で固定されていることを特徴とする請求項２に記載の体育用マット。
【発明の詳細な説明】
【技術分野】
【０００１】
本発明は、体育用器具である体育用マットに関し、特に、矩形状マット本体とこの矩形状マット本体を全面被覆するカバーとこのカバーの側面に設けた持ち手とで構成される体育用マットに関する。
【背景技術】
【０００２】
従来、体育用マットとして、合成繊維などからなるフェルトを中詰材として、これを綿帆布などからなるカバー部材で覆うとともに、約２００ｍｍ間隔で縫製された厚さ６０ｍｍ程度のものが広く使用されている。
【０００３】
そして、このような体育用マットは、中詰材が反発弾性および衝撃吸収性に欠ける合成繊維のフェルトであるため、マット厚さを充分に確保することによって転倒や着地時における局部的な衝撃荷重を吸収している（例えば、特許文献１）。
【先行技術文献】
【特許文献】
【０００４】
【特許文献１】実開平１−１３５９６０号公報
【発明の概要】
【発明が解決しようとする課題】
【０００５】
しかしながら、上述した従来の体育用マットは、マット厚さが大きくなるとマット重量が著しく増大するため、マット側面に複数の持ち手を設けて時に複数人で持ち運びしなければならない。
そのため、マット使用時に複数の持ち手が使用者のつま先に不用意に引っ掛かるおそれがあるだけでなく、製作上の手間を増大させる一方で、把持可能な箇所が個々の持ち手に事実上限定され、特に、各持ち手が一定距離以上離れて設けられた場合には、単独で複数の持ち手を同時に把持するのが困難であるなどの問題があった。
【０００６】
本発明は、上述のような実情に鑑みてなされたものであって、持ち手の設置形態を簡素化して使用者が持ち運びの際に広範囲を把持可能な体育用マットを提供することを目的とする。
【課題を解決するための手段】
【０００７】
請求項１に係る発明は、矩形状マット本体と該矩形状マット本体を全面被覆するカバーと該カバーの側面に設けた持ち手とで構成される体育用マットにおいて、前記持ち手が、前記カバーの長手方向側縁に沿ってベルト状に設けられ、端部とその間の箇所で前記カバーに固定されていることにより、前述した課題を解決するものである。
【０００８】
請求項２に係る発明は、本請求項１に記載された体育用マットの構成に加えて、前記持ち手が、前記カバーに互いに等間隔を空けて固定されていることにより、前述した課題を解決するものである。
【０００９】
請求項３に係る発明は、本請求項２に記載された体育用マットの構成に加えて、前記持ち手が、前記カバーに前記端部を除く偶数箇所で固定されていることにより、前述した課題を解決するものである。
【発明の効果】
【００１０】
本発明の体育用マットは、矩形状マット本体とこの矩形状マット本体を全面被覆するカバーとこのカバーの側面に設けた持ち手とで構成されることにより、以下のような特有の効果を奏することができる。
【００１１】
請求項１に係る発明の体育用マットは、持ち手が、カバーの長手方向側縁に沿ってベルト状に設けられ、端部とその間の箇所でカバーに固定されていることにより、従来のような合成繊維などからなる重厚なフェルトを中詰材として用いたためにカバーの長手方向に複数の持ち手を設けた体育用マットに比較すると、使用者がマット長手方向の広範囲で持ち運び可能となるため、取り扱いが容易となるばかりでなく、製作上の手間が省かれ、しかも、カバーの長手方向側縁から短手方向に突出する持ち手が存在しないため、カバーの長手方向側縁において使用者がつま先を持ち手に引っ掛けて転倒するなどの不測の事態を防止して安全に使用することができる。
【００１２】
請求項２に係る発明の体育用マットによれば、請求項１に係る発明が奏する効果に加えて、持ち手が、カバーに互いに等間隔を空けて固定されていることにより、使用者が把持する位置によって持ち手の長さが変化することなく常に一定となるため、使用者が安定して持ち運びすることができる。
【００１３】
請求項３に係る発明の体育用マットによれば、請求項２に係る発明が奏する効果に加えて、持ち手が、カバーに端部を除く偶数箇所で固定されていることにより、マット長手方向の中央位置でも把持可能となるため、使用者はマット長手方向の中央位置で持ち手を把持してバランス良く持ち運びすることができる。
【図面の簡単な説明】
【００１４】
【図１】本発明の一実施形態による体育用マットの斜視図である。
【図２】図１に示す体育用マットの一部を切り欠いたマット構造の説明図である。
【図３】本発明の一実施形態による体育用マットの上面図である。
【発明を実施するための形態】
【００１５】
本発明は、矩形状マット本体とこの矩形状マット本体を全面被覆するカバーとこのカバーの側面に設けた持ち手とで構成される体育用マットにおいて、持ち手が、カバーの長手方向側縁に沿ってベルト状に設けられて端部とその間の箇所で前記カバーに固定され、持ち手の設置形態を簡素化して使用者が持ち運びの際に広範囲を把持可能なものであれば、その具体的な実施態様は、如何なるものであっても構わない。
【００１６】
すなわち、本発明の体育用マットの具体的な外形については、矩形状マットであれば良い。
但し、その外形サイズについては、矩形状マット本体が、長手方向に直交する幅方向におけるマット幅８００〜１０００ｍｍ、長手方向におけるマット長さ１７００〜２０００ｍｍ、マット厚さ３０〜６０ｍｍの範囲内であれば、マット重量を１０ｋｇ以内に軽量化することができて、単独での持ち運びが容易となり、より好ましい。
【００１７】
そして、本発明の体育用マットに用いた矩形状マット本体を構成する具体的な素材については、例えば、抗菌性や防臭性などを発揮する合成スポンジからなるマット、抗菌性や防臭性などを発揮する合成スポンジとこの合成スポンジの上下に積層配置されたフェルトとを組み合わせて積層したマット、あるいは、ポリウレタンなどの発泡体からなるマットなどのいずれを採用しても良い。
【００１８】
また、本発明の体育用マットに用いたカバーについては、矩形状マット本体を全面被覆する形状であれば良く、その素材については、通気性、防水性、抗菌性などを有する帆布などを採用するのが好ましい。
さらに、本発明の体育用マットに用いたカバーの裏面については、滑り止めシートを積層配置してもしなくても良いが、滑り止めシートを積層配置した場合には、設置床面との位置ずれを確実に防止することができる。
【００１９】
さらに、本発明の体育用マットに用いた持ち手は、カバーの長手方向側縁に沿ってベルト状に設けられ、端部とその間の箇所でカバーに固定されていれば良く、帆布などカバーと同一の素材を採用するのが好ましい。
なお、本発明の体育用マットに用いた持ち手は、カバーの左右いずれかに設けても良いが、カバーの左右両側に設けた方が左右両側のいずれの方からも持ち運び可能となり便利であることは言うまでもない。
【００２０】
以下に、本発明の一実施形態である体育用マット１００について、図１乃至図３に基づいて説明する。
なお、本発明は、以下に説明する実施形態に限定されるものではなく、特許請求の範囲によって示され特許請求の範囲と均等の意味および範囲内でのすべての変更が含まれることが意図される。
【００２１】
図１に示すように、本発明の実施形態による体育用マット１００は、後述する矩形状マット本体１１０とこの矩形状マット本体１１０を全面被覆するカバー１２０とこのカバー１２０の側面に設けた持ち手１３０とで構成されている。
【００２２】
また、図２に示すように、矩形状マット本体１１０は、例えば、抗菌性と防臭性を発揮する合成スポンジ１１１とこの合成スポンジ１１１の上下にそれぞれ積層配置された一対のフェルト１１２、１１２とを一体に組み合わせて積層したもので矩形状に構成されている。
【００２３】
他方、カバー１２０の素材については、通気性、防水性、抗菌性を有する帆布を用いている。
そして、このカバー１２０の裏面には、滑り止めシート１４０を積層配置することにより、設置床面との位置ずれ、滑りなどを確実に防止している。
【００２４】
つぎに、本実施形態の体育用マット１００が最も特徴とする持ち手１３０の具体的構成について、以下に詳しく説明する。
すなわち、前述した持ち手１３０は、カバー１２０の長手方向に複数設けることなく、カバー１２０の長手方向側縁に沿って設けられて端部とその間の箇所の縫着部１３１で縫着されたベルトで構成されている。
これにより、持ち手１３０がカバー１２０の長手方向側縁に沿って設けられた状態となるため、従来のような持ち手をカバーの長手方向の複数箇所に設けた体育用マットにおいて生じがちな、使用者がつま先を引っ掛けて転倒するなどの不測の事態を防止することができるだけでなく、製作上の手間も省かれ、さらに、使用者がマット長手方向の広範囲で持ち運び可能となる。
【００２５】
図３に示すように、体育用マット１００が凹凸の殆どない平らな場所に置かれた状態で、カバー１２０と、このカバー１２０の長手方向側縁に沿ってベルト状に設けられた持ち手１３０との間は、上面視でほぼ隙間がない状態となる。
使用者は、縫着部１３１以外の箇所でカバー１２０と持ち手１３０との間に指を挿入した後、持ち手１３０をカバー１２０と反対側に引っ張って、図３の拡大図上で示すように、カバー１２０と持ち手１３０との間の隙間を拡大することにより、持ち手１３０を把持可能とする。
また、本実施形態における持ち手１３０は、カバー１２０に、互いに等間隔を空けて、端部を除く偶数箇所（本実施形態では４箇所）で固定されている。
これにより、マット長手方向の中央位置に縫着部１３１が位置することなく、マット長手方向の中央位置でも把持可能となるため、使用者は、マット長手方向の中央位置で持ち手１３０を把持して、安定して、バランス良く持ち運びすることができる。
なお、本実施形態における持ち手１３０は、カバー１２０の左右両側にそれぞれ設け、左右両側のいずれの方からも持ち運び可能とし、利便性を高めていることは言うまでもない。
【００２６】
以上のようにして得られた本実施形態の体育用マット１００は、矩形状マット本体１１０とこの矩形状マット本体１１０を全面被覆するカバー１２０とこのカバーの側面に設けた持ち手１３０とで構成され、持ち手１３０が、カバー１２０の長手方向側縁に沿ってベルト状に設けられて端部とその間の箇所でカバー１２０に固定されていることにより、従来のような体育用マットに比較すると、使用者がマット長手方向の広範囲で持ち運び可能となり、製作上の手間も省かれ、カバー１２０の長手方向側縁において使用者がつま先を持ち手１３０に引っ掛けて転倒するなどの不測の事態を防止して安全に使用することができる。
【００２７】
そして、持ち手１３０が、カバー１２０に互いに等間隔を空けて固定されていることにより、使用者が安定して持ち運びすることができる。
【００２８】
さらに、持ち手１３０が、カバー１２０に端部を除く偶数箇所で固定されていることにより、使用者がマット長手方向の中央位置で持ち手１３０を把持してバランス良く持ち運びすることができるなど、その効果は甚大である。
【符号の説明】
【００２９】
１００・・・体育用マット
１１０・・・矩形状マット本体
１１１・・・合成スポンジ
１１２・・・フェルト
１２０・・・カバー
１３０・・・持ち手
１３１・・・縫着部
１４０・・・滑り止めシート
【図１】
2020005864.tif 000003
【図２】
2020005864.tif 000004
【図３】
2020005864.tif 000005